【手続補正書】
【提出日】平成15年11月13日(2003.11.13)
【手続補正１】
【補正対象書類名】明細書
【補正対象項目名】特許請求の範囲
【補正方法】変更
【補正の内容】
【特許請求の範囲】
【請求項１】
部品を回路基板にマウントする部品マウント装置であって、
インターネット回線に接続可能で、インターネット回線での通信により部品マウント装置のサービスを行うサービス者側の通信装置へサービス情報の参照の要求を出力することにより、実装生産をするために必要なサービスを受けることができる通信装置を備えた部品マウント装置。
【請求項２】
通信装置は、インターネット回線を通じてサービス者側による部品マウント装置の稼動状況の監視に供する請求項１に記載の部品マウント装置。
【請求項３】
通信装置は、インターネット回線を通じて、サービス者側にトラブルの発生内容を通知し、サービスを受けられるようにする請求項１に記載の部品マウント装置。
【請求項４】
通信装置は、インターネット回線を通じて、部品マウント装置の現在の表示画面の情報をサービス者側の通信装置へ送信することにより、サービス者側の通信装置にて画面操作することで、部品マウント装置の画面操作するのと同等の操作を行わせ、サービス者側からの部品マウント装置の復旧のためのリモート操作に供する請求項１に記載の部品マウント装置。
【請求項５】
通信装置は、インターネット回線を通じて、サービス者側による部品マウント装置内の蓄積された生産実装データまたは装置動作記録データをはじめとするトラブル解析のためのデータの収集に供する請求項１に記載の部品マウント装置。
【請求項６】
通信装置は、部品マウント装置のサービスを行うサービス者側とインターネット回線を通じて接続可能で、インターネット回線を通じて、前記サービス者側から、部品マウント装置を動作させるソフトウェアのインストール、または部品マウント装置を動作させるための部品ライブラリの転送、その他のサービスを引き出す請求項１に記載の部品マウント装置。
【請求項７】
通信装置は、サービス者側に備えられサービス情報を蓄積したサービス情報データベースからサービスを引き出す請求項６に記載の部品マウント装置。
【請求項８】
部品を回路基板にマウントする部品マウント装置のためのサービス方法であって、
前記部品マウント装置を、前記部品マウント装置のサービスを行うサービス者側とインターネット回線を通じて接続し、
インターネット回線での通信により部品マウント装置のサービスを行うサービス者側の通信装置へサービス情報の参照の要求を出力することにより、実装生産をするために必要なサービスを受けるサービス方法。
【請求項９】
部品を回路基板にマウントする部品マウント装置のためのサービス供給装置であって、
前記部品マウント装置とインターネット回線を通じて接続可能で、インターネット回線での通信により、前記部品マウント装置からのサービス情報の参照の要求を受け、前記部品マウント装置を用いた生産をするために必要なサービスを供給するサービス供給装置。
【請求項１０】
インターネット回線を通じて、部品マウント装置の稼動状況の監視を行うサービスを提供する請求項９に記載のサービス供給装置。
【請求項１１】
インターネット回線を通じて、部品マウント装置を動作させるソフトウェアのインストール、または部品マウント装置を動作させるための部品ライブラリの転送、その他のサービスを提供する請求項９に記載のサービス供給装置。
【請求項１２】
サービスに供するサービス情報を蓄積したサービス情報データベースを備えた請求項１１に記載のサービス供給装置。
【請求項１３】
部品を回路基板にマウントする部品マウント装置にサービスの受給を実行させるためのサービス受給プログラムであって、
前記部品マウント装置に、
前記部品マウント装置のサービスを行うサービス者側とインターネット回線を通じて接続するステップと、
インターネット回線での通信により、サービス者側の通信装置へサービス情報の参照の要求を出力することにより、前記部品マウント装置を用いた生産をするために必要なサービスを引き出すステップと
を実行させるためのサービス受給プログラム。
【請求項１４】
サービスを引き出すステップとして、
インターネット回線を通じて、サービス者側による部品マウント装置の稼動状況の監視を行うサービスを引き出す請求項１３に記載のサービス受給プログラム。
【請求項１５】
サービスを引き出すステップとして、
サービス者側から部品マウント装置を動作させるソフトウェアのインストール、または部品マウント装置を動作させるための部品ライブラリの転送、その他のサービスを引き出す請求項１３に記載のサービス受給プログラム。
【請求項１６】
請求項１３〜１５のいずれか１項に記載のサービス受給プログラムを記録した記録媒体。
【手続補正２】
【補正対象書類名】明細書
【補正対象項目名】００１１
【補正方法】変更
【補正の内容】
【００１１】
【課題を解決するための手段】
本発明の部品マウント装置は、部品を回路基板にマウントする部品マウント装置であって、インターネット回線に接続可能で、インターネット回線での通信により部品マウント装置のサービスを行うサービス者側の通信装置へサービス情報の参照の要求を出力することにより、実装生産をするために必要なサービスを受けることができる通信装置を備えたことを特徴とするものである。


【手続補正３】
【補正対象書類名】明細書
【補正対象項目名】００１２
【補正方法】変更
【補正の内容】
【００１２】
このような構成では、部品マウント装置はそれに備えるインターネット回線に接続可能な通信装置により、インターネット回線での通信をいつでも行い、部品マウント装置を用いた生産に関するサービス者側のサービスを受けることができ、サービスを受けるのに時間が掛からないし、サービスマンの移動によるコスト、および顧客先毎の専用の回線設備によるコストが不要であってコストが低減する。従って、顧客がサービス者から遠隔に居るとき特に有利である。


【手続補正４】
【補正対象書類名】明細書
【補正対象項目名】００１３
【補正方法】変更
【補正の内容】
【００１３】
前記通信装置が、インターネット回線を通じてサービス者側による部品マウント装置の稼動状況の監視に供する構成では、部品マウント装置での稼動状況がサービス者側にて必要に応じて、またはリアルタイムで、監視を受けられるので、部品マウント装置の稼動状況に関し的確なサービスが受けられる。


【手続補正５】
【補正対象書類名】明細書
【補正対象項目名】００１４
【補正方法】変更
【補正の内容】
【００１４】
前記通信装置が、インターネット回線を通じてサービス者側にトラブルの発生内容を通知し、サービスを受けられるようにする構成では、部品マウント装置で生じたトラブルをサービス者側に迅速かつ正確に伝達して的確なトラブル解消のサービスが受けられる。


【手続補正６】
【補正対象書類名】明細書
【補正対象項目名】００１５
【補正方法】変更
【補正の内容】
【００１５】
前記通信装置が、インターネット回線を通じて、部品マウント装置の現在の表示画面の情報をサービス者側の通信装置へ送信することにより、サービス者側の通信装置にて画面操作することで、部品マウント装置の画面操作するのと同等の操作を行わせ、サービス者側からの部品マウント装置の復旧のためのリモート操作に供する構成では、立ち上げ、品種換え、トラブル、品質や生産性のバージョンアップなど、ユーザー側で対応するのが困難な操作を遠隔地から実行して、迅速かつ的確に対応し、また、それとともに教示することができる。


【手続補正７】
【補正対象書類名】明細書
【補正対象項目名】００１９
【補正方法】変更
【補正の内容】
【００１９】
以上の各発明に関連して、部品を回路基板にマウントする部品マウント装置のためのサービス方法であって、前記部品マウント装置を、前記部品マウント装置のサービスを行うサービス者側とインターネット回線を通じて接続し、インターネット回線での通信により部品マウント装置のサービスを行うサービス者側の通信装置へサービス情報の参照の要求を出力することにより、実装生産をするために必要なサービスを受けるサービス方法を提供することができる。


【手続補正８】
【補正対象書類名】明細書
【補正対象項目名】００２０
【補正方法】変更
【補正の内容】
【００２０】
また、部品を回路基板にマウントする部品マウント装置のためのサービス供給装置であって、前記部品マウント装置とインターネット回線を通じて接続可能で、インターネット回線での通信により、前記部品マウント装置からのサービス情報の参照要求を受け、前記部品マウント装置を用いた生産をするために必要なサービスを供給するサービス供給装置を提供することができる。


【手続補正９】
【補正対象書類名】明細書
【補正対象項目名】００２１
【補正方法】変更
【補正の内容】
【００２１】
このサービス供給装置は、さらに、インターネット回線を通じて、部品マウント装置の稼動状況の監視を行うサービスを提供するものとすることができる。また、インターネット回線を通じて、部品マウント装置を動作させるソフトウエアのインストール、または部品マウント装置を動作させるための部品ライブラリの転送、その他のサービスを提供するものとすることができる。このために、サービスに供するサービス情報を蓄積したサービス情報データベースを備えたものとすることができる。


【手続補正１０】
【補正対象書類名】明細書
【補正対象項目名】００２２
【補正方法】変更
【補正の内容】
【００２２】
また、上記各発明に関連して、部品を回路基板にマウントする部品マウント装置にサービスの受給を実行させるためのサービス受給プログラムであって、前記部品マウント装置に、前記部品マウント装置のサービスを行うサービス者側とインターネット回線を通じて接続するステップと、インターネット回線での通信により、サービス者側の通信装置へサービス情報の参照の要求を出力することにより、前記部品マウント装置を用いた生産をするために必要なサービスを引き出すステップとを実行させるためのサービス受給プログラムを提供することができる。


【手続補正１１】
【補正対象書類名】明細書
【補正対象項目名】００４５
【補正方法】変更
【補正の内容】
【００４５】
【発明の効果】
以上のように本発明によれば、部品マウント装置はそれに備えるインターネット回線に接続可能な通信装置により、インターネット回線での通信をいつでも行い、部品マウント装置を用いた生産に関するサービス者側のサービスを受けることができ、サービスを受けるのに時間が掛からないし、サービスマンの移動によるコスト、および顧客先毎の専用の回線設備によるコストが不要であってコストが低減することができる。